【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
所定の作業員以外の者による前記ブレーカの予期せぬＯＮ／ＯＦＦを制限するためにブレーカに取り付けるブレーカ用ロックアウト具であって、
洗濯はさみ状の押し圧を行うつまみ部と前記つまみ部に連結した回転中心部と前記つまみ部に連結したはさみ部と、前記つまみ部を戻す弾性体部とを有し、前記はさみ部の一方は、前記ブレーカのスイッチつまみを嵌るように挿入できるスイッチ挿入溝を有し、前記はさみ部の他方は、前記ブレーカのスイッチつまみに付設した中空穴に嵌りこむための複数の可動ピンと、前記複数の可動ピンを押し圧の有無により可動するためのクッション部とを有することを特徴とするブレーカ用ロックアウト具。
【請求項２】
前記はさみ部の両方に両者を固定して可動不可にするための錠前を付設する錠前付設穴を有する錠前取付部を設けたことを特徴とする請求項１記載のブレーカ用ロックアウト具。
【請求項３】
前記スイッチ挿入溝のある側の反対側に、他のサイズの前記スイッチつまみが嵌る他のスイッチ挿入溝を設けたことを特徴とする請求項１又は請求項２記載のブレーカ用ロックアウト具。
【手続補正２】
【補正対象書類名】明細書
【補正対象項目名】全文
【補正方法】変更
【補正の内容】
【発明の詳細な説明】
【発明の名称】ブレーカ用ロックアウト具
【技術分野】
【０００１】
本発明は、電気工事の際に不慮の事故を防ぐたにブレーカに付けて使用するロックアウト具に関するものである。
【背景技術】
【０００２】
電気工事を行う場合には、感電を防ぐ目的で、ブレーカを切断し工事を行う。このとき、
このブレーカを他の人に接続状態にされると、工事従事者が思わぬ感電事故に巻き込まれる危険がある。このため、通常ブレーカを切断したときに、これを工事従事者以外の人が、
接続状態に出来ないようにブレーカのスイッチつまみを動かせないようにし、工事従事者以外には外せない鍵をかける方法が取られている。この際に用いるのがロックアウト具である。
従来、この目的のために使われているものとして、特許文献１には、前進／後退形のスイッチによるブレーカにおいて、ブレーカ自体で対策したものが示されている。
【特許文献１】特開平０７−２１１２１６
【０００３】
図７は、業界で一般に多く使われているブレーカの外形を示す斜視図である。ブレーカ７００の上にはスイッチつまみ７０２とこれを支えるスイッチ枠７０１があり、スイッチつまみ７０２は、手動により上に倒すとＯＮ（接続）、下に倒すとＯＦＦ（切断）になり、これに伴って、内部の電気回路の接点が接続又は切断するようになっている。一般に、スイッチつまみ７０２は倒す（回転）ために円弧状になっていることによる凹部７０８があり、スイッチ枠７０１は外形が矩形の形状のために上下及び両横に立上面７０７を有している。一般に上下に窪み７０３、７０６があることが多い。尚、スイッチつまみ７０２の上面部７０９と下面部７１０が示されている。スイッチつまみ７０２には、中空部又は穴７１１が開いているものがある。
工事の際には、「工事中につきスイッチを入れるな」という張り紙をして注意喚起を行うことがよくなされる。図６は、既に市販されている従来のロックアウト具を示す図である。次にこのタイプのロックアウト具６００の機能を説明する。
【０００４】
６−Ｂは、ロックアウト具６００をブレーカ７００に付設した状態を示す。６−Ａで、ロックアウト具６００には「コの字」形の窪み６０１があり、この部分には、スイッチつまみ７０２が嵌るようになっている。ネジ６０２があり、これを廻して締めると、ネジの先端６０３がスイッチつまみ７０２の上面部７０９に当たり押し付けるので固定されるようになっている。このネジ６０２を締め付けた後、ネジ６０２の折曲部６０４で折れ曲げることが出来る。折り曲げたネジ６０２は、溝６０５に収納される。ロックアウト具６００には、錠前をかける錠前付設部６０６があり、そこには錠前付設穴６０７がある。二つの錠前付設穴６０７に錠前を通し、錠をかけると、錠が邪魔になって、ネジ６０２を回せないため、
鍵を持つ工事従事者以外は、ロックアウト具６００を外せない。従って、スイッチつまみ７０２を動かせない。一つのブレーカの下に複数の場所で工事がなされ、その数に対応した工事従事者がいると、この錠前付設部６０６に錠前をかけ、これに工事従事者専用に錠前を複数付設することになる。一人の工事従事者が工事を終了して自分の錠前を外した場合でも、他人の錠前が残っていると、この錠前は開かないので、ブレーカのスイッチつまみを動かすことが出来ない。全員の錠前が外れて、ブレーカのスイッチつまみを動かすことが出来る。このようにして電気工事者の感電事故への安全を確保している。
【発明の開示】
【発明が解決しようとする課題】
【０００５】
ところで、上記のロックアウト具６００には、大きな欠点があった。このロックアウト具６００の固定の確かさは、ネジ６０２の先端６０３とスイッチつまみの上面部７０９の接触による。点状の接触のため、固定を確かにするためには、きつく閉めなくてはならないが、
そうすると、スイッチつまみの上面部７０９には傷が付いてしまい好ましくない。又、点状の接触は、容易に回転し、スイッチつまみの上面部７０９はやや斜めになっているので、ネジ６０２は容易に緩んでしまう。このため、スイッチつまみ７０２をこのロックアウト具６００を付けたままで丸ごと動かすと、スイッチつまみ７０２が完全或いは半分程度まで動いてしまい安全ではなくなる。又、横からぶつかるなどの衝撃でロックアウト具６００が外れてしまうという欠点があり、固定の確かなロックアウト具が求められていた。
【０００６】
上記のような事情から、解決しようとする課題は、ブレーカに付設して取り付け取り外しの操作性がよく、スイッチつまみに傷も付かず、固定が確かなロックアウト具を提供することである。
【課題を解決するための手段】
【０００７】
上記の課題を解決するための手段として、本発明によるブレーカロックアウト具は、ブレーカの上下又は横に存在する溝、側面、表面、ブレーカのスイッチつまみ周辺の凹部やスイッチつまみについた中空穴の特徴を利用して、ブレーカに確実にブレーカ用ロックアウト具を固定するものであり、以下、請求項に沿って説明する。
【０００８】
請求項１記載の発明は、所定の作業員以外の者による前記ブレーカの予期せぬＯＮ／ＯＦＦを制限するためにブレーカに取り付けるブレーカ用ロックアウト具であって、
洗濯はさみ状の押し圧を行うつまみ部と前記つまみ部に連結した回転中心部と前記つまみ部に連結したはさみ部と、前記つまみ部を戻す弾性体部とを有し、前記はさみ部の一方は、前記ブレーカのスイッチつまみを嵌るように挿入できるスイッチ挿入溝を有し、前記はさみ部の他方は、前記ブレーカのスイッチつまみに付設した中空部又は穴に嵌りこむための複数の可動ピンと、前記複数の可動ピンを押し圧の有無により可動するためのクッション部とを有することを特徴とする。これにより吸引固定と他の固定を併用できて、確実な固定が出来る。
【０００９】
請求項２記載の発明は、請求項９記載のブレーカ用ロックアウト具において、前記はさみ部の両方に両者を固定して可動不可にするための錠前を付設する錠前付設穴を有する錠前取付部を設けたことを特徴とする。これにより、他の作業者からロックアウトを破られる心配が排除できる。
【００１０】
請求項３記載の発明は、請求項１又は請求項２記載のブレーカ用ロックアウト具において、前記スイッチ挿入溝のある側の反対側に、他のサイズの前記スイッチつまみが嵌る他のスイッチ挿入溝を設けたことを特徴とする。これにより複数のサイズのスイッチつまみに装着できる。
【発明の効果】
【００１１】
以上のように構成されているので、本発明によるブレーカ用ロックアウト具は、ブレーカに傷を付けることもなく、固定が不確かで外れるような恐れを克服することができ、作業場の安全を確保することが出来る。
【発明を実施するための最良の形態】
【００１２】
本発明によるブレーカ用ロックアウト具は、ブレーカの上下又は横に存在する溝、側面、表面、ブレーカのスイッチつまみ周辺の凹部やスイッチつまみについた中空穴の特徴を利用して、ブレーカに確実にブレーカ用ロックアウト具を固定するものであり、その構成については実施例を用い以下に説明する。
【００１３】
図１は、本発明によるブレーカ用ロックアウト具の一実施態様を説明する斜視図である。１−Ａは、ブレーカ用ロックアウト具１００である。１−Ｂは、他のブレーカ用ロックアウト具１２０であり、１−Ｃは、ブレーカ用ロックアウト具１００を図７のブレーカ７００にセットした状態を示している。
【００１４】
１−Ａにおいて、ブレーカ用ロックアウト具１００は、重なって矢印の方向に互いにスライドする２枚のスライド板１０１、１０２を有している。この例では、図７に示すスイッチつまみ７０２に対応する位置には、スライド板１０２には、板を切り取った切欠部１０３があり、スライド板１０１には、カバー１１３がある。このカバー１１３は無い場合も可能である。カバー１１３が無い場合には、スイッチつまみ７０２を動かそうとすると、スライド板１０２の切欠部１０３の上端又は下端にスイッチつまみ７０２が接触し、スイッチつまみ７０２が外部から動かないように、前記上端又は下端を位置決めすることになる。
切欠部１０３がスライド板１０１に、カバー１１３がスライド板１０２にあってもよい。このようにしてスライド板１０１、１０２は、スイッチつまみ７０２に接触しないようになっている。
スライド板１０１、１０２には、板の片端に折曲部１０４、１０５がある。
又、スライド板１０１には上側にも折曲部１０６がある。この折曲部１０６は、スライド板１０１、１０２のどちらにあってもよいし、ない場合もありうる。スライド板１０２には、固定ネジ１０７を通すネジ穴１０８が、スライド板１０１、１０２同士がスライド可能なように開いている。固定ネジ１０７は回転して締め付けることが出来る。この図では固定ネジ１０７には回転のためのハンドル部１０９があり、この先端には錠前設置用の錠前付設穴１１０がある。一方、スライド板１０１、１０２のどちらかに錠前付設用の錠前付設穴１１１を有する錠前取付部１１２がある。
【００１５】
１−Ｃにおいて、上記のブレーカ用ロックアウト具１００を図７のブレーカ７００にセットする時は、固定ネジ１０７を緩め、スライド板１０１、１０２が自由にスライドするようにして、折曲部１０６をブレーカ７００の上側窪み７０３に掛け、折曲部１０４、１０５をブレーカ７００の両側面７０４、７０５に当て、強く当てるようにして、固定ネ１０７を締め付ける。このようにして、ブレーカ用ロックアウト具１００は、折曲部１０６により上下方向の固定がされ、折曲部１０４、１０５により左右方向の固定が確保される。面で接触しているので、固定が確実で傷が付く心配もない。
【００１６】
１−Ｂにおいて、ブレーカ用ロックアウト具１２０には、上下にスライドする、スライド板１２１、１２２があり、その上下の端には、折曲部１２３、１２４がある。又、スライド板１２１、１２２には、スライド用に固定ネジ１２５があり、この固定ネジ１２５は、スライド板１２１、１２２に直角に取り付けられたネジ補助板１２７、１２８に付設されている。固定ネジ１２５のハンドル部１２６を廻すと、二つのネジ補助板１２７、１２８が接近又は離れて、それにより、折曲部１２３、１２４がスライドし、ブレーカの上下の溝部７０３、７０６に押し付けられ、ブレーカ用ロックアウト具１２０が固定される。この図では、スイッチつまみ用のカバー１２９がスライド板１２１についている例である。図では錠前付設穴１３０がハンドル部１２６とネジ補助板１２８についている。
図１では、横または上下にスライドするスライド板と折曲部により上下の溝や左右の側面での固定を行うものである。
【００１７】
図２は、本発明にかかるブレーカ用ロックアウト具の別の実施態様を説明する斜視図である。７００番代の説明図は図７を参照して、図２を説明する。２−Ａにおいて、ブレーカ用ロックアウト具の基体２００にはブレーカのスイッチつまみ７０２を固定するための固定穴２０１が開いていて、固定穴２０１にスイッチつまみ７０２をはめ込むと、固定穴２０１の端がスイッチつまみ７０２の上面部７０９又は下面部７１０に当たることになる。ブレーカ７００の凹部７０８と立上面７０７の形状に対応する突起部２０２と第２の立上部２０３を有し、固定ネジ２０４用のネジ穴２０５を有する締付固定具２０６が、基体２００の上にスライド可能に置かれ、締付固定具２０６と基体２００は、固定ネジ２０４で結合され、ハンドル部２０７を回すと、締め付け又は緩めることが出来る。締付固定具２０６を上側に強く引いて、突起部２０２をブレーカ７００の凹部７０８にはめ込んで、固定ネジ２０４を締めて固定することになる。ハンドル部２０７と固定板２０８に開いた錠前付設穴２０９に錠前を通して取り付けることが出来る。２−Ｂでは、２−Ａとの違いは、スイッチつまみ７０２に被せるカバー２１０が付いていることである。
【００１８】
２−Ｃでは、２−Ａ、２−Ｂとの違いは、締め付け用の固定ネジが締付スライド用ネジ２１１になっていることである。ブレーカ用ロックアウト具の基体２００の上部側が直角に折れた第１の支持板２１２となっていて、この支持板２１２の穴２１３に締付固定具２０６がスライド可能に支持されている。締付固定具２０６の上端には、締付スライド用ネジ２１１を回転自在に支持する第２の支持板２１４が付いている。ハンドル部２１５を回すと、締付スライド用ネジ２１１が回り、基体２００と締付固定具２０６は上下に相対的に接近或いは離間することになる。離間した場合には、固定穴２０１の端がスイッチつまみ７０２の上面部７０９を押し付け、突起部２０２がブレーカ７００の凹部７０８に嵌り、ロックアウト具がブレーカ７００に固定される。接触部は面であるので、確かな固定が成され、傷が付く心配はない。締め付け後にネジハンドル２１５は途中で折り曲げて、これと支持板２１２にある錠前付設穴２１６、２１７に錠前を取り付けることが出来る。２−Ｄでは、２−Ｃのロックアウト具をブレーカ７００に取り付けた状態を示している。
【００１９】
図３は、本発明にかかるブレーカ用ロックアウト具の別の実施態様を説明する斜視図である。図２の前記締付固定具２０６は、ブレーカ７００の凹部７０８に嵌る突起部２０２と第２の立上部２０３を有していたが、３−Ａ、３−Ｂ、３−Ｃ、３−Ｄ、３−Ｇでは、同様に、前記締付固定具と同様な締付固定具３０６が、突起部３０２と第２の立上部３０３を有している。他の機能を説明すると、３−Ａでは、締付固定具３０６には、更に、ブレーカ７００のスイッチつまみ７０２を嵌めこむための嵌込枠３０７が付属し、これには更に直角にネジ締め補助板３０８が付いていて、ネジ締め補助板３０８には、回転により締めこむ閉め板３０９を有する固定ネジ３１０が付いている。ネジは、締めた後にハンドル部３１１を折り曲げることが出来て、錠前付設穴３１２に錠前を取り付けることが出来る。尚、閉め板３０９は、ブレーカ７００のスイッチつまみ７０２の下面部７１０を押して固定に寄与する。尚、３−Ｇは、３−Ａのものをブレーカ７００に付設した状況を示している。
【００２０】
３−Ｂでは、３−Ａと同じものに、嵌込枠３０７の両側に吸引固定部３１３を設けたものである。更に、スイッチつまみ７０２を覆うカバー３１４が付いている。吸引固定部３１３は平面に押し付けることで、空気を逃がし真空状態を作り、吸引力で固定するものである。個数は必ずしも２個にこだわらない。１個でもよい。３−Ｃは、３−Ｂのものから、３−Ａで３０８から３１２に対応する部分を除いたものである。これにより、閉め板３０９が、ブレーカ７００のスイッチつまみ７０２の下面部７１０を押し付ける機能はなくなる。
【００２１】
３−Ｄは更に別の態様であり、突起部３０２と第２の立上部３０３を有する締付固定具３０６に、箱３１５が付いていて、この箱３１５には、吸引固定部３１３が付いている。吸引固定部３１３を付けたり外したりする操作棒３１６が箱３１５の外側に引き出され、これには、錠前付設穴３１７が付いていて、錠前を付けると操作棒３１６は動かせなくなる。又、箱３１５には、３−Ａの閉め板３０９、ネジ３１０、ネジハンドル３１１が付いている。
【００２２】
３−Ｅは、３−Ｄの箱３１５と吸引固定部３１３に関するものを残し、締付固定具３０６の部分を除いたものである。
【００２３】
３−Ｆは、図１の１−Ａのもので、カバー１１３がない方のスライド板１０１に吸引固定部３１３を付けたものである。吸引固定部３１３は一般に直角方向の固定が強い、スライド板の締め付けは、横または縦方向の固定が強いので両方で確かな固定が出来る。
【００２４】
図４は、本発明にかかるブレーカ用ロックアウト具の別の実施態様を説明する斜視図である。４−Ａはブレーカ７００の別の例で、内側に磁石に付着する鉄などの素材からなる磁性板４０１を有するものである。４−Ｂは、ロックアウト具４００であり、磁石体４０２を有していて、磁石体４０２をロック或いはリリースを行うためのロック／リリースハンドル４０３を有し、これには、錠前付設穴４０４が付いている。ロック／リリースハンドル４０３を右に回転すると、磁石体４０２が磁性板４０１を引き付けるようになり（ロック状態）、この状態では、錠前付設穴４０４と錠前付設穴４０５が重なって、錠前を付設できる。４−Ｃは、４−Ｂを４−Ａに付設した状態を示している。
【００２５】
図５は、本発明にかかるブレーカ用ロックアウト具の別の実施態様を説明する斜視図である。図７のブレーカの特徴を見ると、スイッチつまみ７０２がＯＮ又はＯＦＦの位置で略斜めになり突き出ていることである。更にスイッチつまみ７０２に中空穴７１１を持っていることである。この特徴を使うと、ブレーカ用ロックアウト具を固定することが出来る。再び図５に戻って説明する。ブレーカ用ロックアウト具５００には、洗濯バサミのようなつまみ５０１Ａ、５０１Ｂとバネなどの弾性体部５０２があり、つまみ５０１Ａ、５０１Ｂを指で押し圧すると回転中心５０８を軸として、洗濯バサミの先端のはさみに対応するはさみ部５０３Ａ、５０３Ｂは、開閉するようになっている。はさみ部５０３Ａ、５０３Ｂは、図のように一方は、スイッチつまみ７０２の略斜めに入るスイッチ挿入溝５０４を有していて、他方は、複数の可動ピン５０５を有していて、可動ピン５０５は、バネ又はクッション材等のクッション部５０６により押し出される方向に力を受け、押し圧により凹み、押し圧を受けなければ、飛び出している。はさみ部５０３Ａ、５０３Ｂには、更に錠前を通すための穴を有する錠前取付部５０７Ａ、５０７Ｂを有している。この例では、つまみ５０１Ａ、５０１Ｂを指で押し圧すると、はさみ部５０３Ａ、５０３Ｂは開き、つまみ５０１Ａ、５０１Ｂへの押し圧をなくすと、はさみ部５０３Ａ、５０３Ｂは閉じて、錠前取付部５０７Ａ、５０７Ｂは重なって、錠前を取り付けることが出来る。このブレーカ用ロックアウト具５００をつまみ５０１Ａ、５０１Ｂを指で押し圧しながら、図７のスイッチつまみ７０２にスイッチ挿入溝５０４に嵌るように挿入して、指の押し圧をなくすと、はさみ部５０３Ａ、５０３Ｂは閉じて、スイッチつまみ７０２により可動ピン５０５は押されて凹むが、スイッチつまみ７０２の中空穴７１１に当たる可動ピン５０５は中空穴７１１に嵌りこむことになる。そのためブレーカ用ロックアウト具５００は、スイッチつまみ７０２に固定される。この状態で、錠前を取り付けることで錠前の鍵を保有する者以外は、スイッチつまみ７０２を動かすことは出来ないことになる。
【００２６】
図５において、スイッチ挿入溝５０４は、一つのスイッチつまみ７０２のサイズに対応していて、１つ存在していたが、他のサイズのスイッチつまみ７０２にも対応するため、スイッチ挿入溝５０４のある側の反対側に他のサイズ用の別のスイッチ挿入溝５０４を設けると一つのブレーカ用ロックアウト具５００で、複数のサイズのスイッチつまみ７０２に対応出来て便利である。
【００２７】
尚、図面において、面の重なりにより他の面の裏に隠れる線は点線で極力記述してあります。
【産業上の利用可能性】
【００２８】
以上の様に、本発明にかかるブレーカ用ロックアウト具は、電気工事のときに、ブレーカのＯｆｆ状態を明確にし、他人による予期しないスイッチＯＮを避けるために、簡単にブレーカに取り付けることができ、ブレーカに傷を付けることもなく、外れる心配もなく確実にＯＦＦ状態を保持できるので、電気作業の安全確保に極めて有効であるので、産業上大きな利用性を有している。
【図面の簡単な説明】
【００２９】
【図１】本発明によるブレーカ用ロックアウト具の一実施態様を説明する斜視図である。
【図２】本発明にかかるブレーカ用ロックアウト具の別の実施態様を説明する斜視図である。
【図３】本発明にかかるブレーカ用ロックアウト具の別の実施態様を説明する斜視図である。
【図４】本発明にかかるブレーカ用ロックアウト具の別の実施態様を説明する斜視図である。
【図５】本発明にかかるブレーカ用ロックアウト具の別の実施態様を説明する斜視図である。
【図６】従来のロックアウト具を示す図である。
【図７】業界で一般に多く使われているブレーカの外形を示す斜視図である。
【符号の説明】
【００３０】
１００、１２０、５００、６００  ロックアウト具
１０１、１０２、１２１、１２２  スライド板
１０３  板切欠部
１０４、１０５、１０６、１２３、１２４、６０４  折曲部
１０７、１２５、２０４、３１０  固定ネジ  
１０８、２０５  ネジ穴
１０９、１２６、２０７、２１５、３１１  ハンドル部
１１２、５０７Ａ、５０７Ｂ  錠前取付部
１１３、１２９、２１０、３１４  カバー
１２７、１２８  ネジ補助板
１１０、１１１、１３０、２０９、２１６、２１７、３１２、３１７、４０４，４０５、６０７  錠前付設穴
２００  基体
２０１  固定穴
２０２、３０２  突起部
２０３、３０３  立上部
２０６、３０６  締付固定具
２０８  固定板
２１１  締付スライド用ネジ
２１２  第１の支持板
２１３  穴
２１４  第２の支持板
３０７  嵌込枠
３０８  ネジ締め補助板
３０９  閉め板
３１３  吸引固定部
３１５  箱
３１６  操作棒
４０１  磁性板
４０２  磁石体
４０３  ロック／リリースハンドル
５０１Ａ、５０１Ｂ  つまみ
５０２  弾性体部
５０３Ａ、５０３Ｂ  はさみ部
５０４  スイッチ挿入溝
５０５  可動ピン
５０６  クッション部
５０８  回転中心
６０１  「コの字」形の窪み
６０２  ネジ
６０３  ネジの先端
６０５  溝
６０６  錠前付設部
７００  ブレーカ
７０１  スイッチ枠
７０２  スイッチつまみ
７０３  窪み
７０４、７０５  側面
７０７  立上面
７０８  凹部
７０９  上面部
７１０  下面部
７１１  中空穴